(57)【特許請求の範囲】
【請求項１】
踏み板に嵌合凹部が設けられ、桁に嵌合凸部を持つ踏み板挿入部が設けられており、踏み板を桁の踏み板挿入部に挿入させるとともに嵌合凹部と嵌合凸部を嵌合させて、踏み板を桁に取り付ける階段の踏み板の固定構造であって、
桁の嵌合凸部は、幅方向に貫通した貫通孔と、貫通孔に挿入された、左右端部が貫通孔から突出する長さを持つ軸体とを有しており、
踏み板の嵌合凹部は、軸体の長さと同じ幅寸法を有しており、
桁に設けられた踏み板挿入部への踏み板の挿入時に、嵌合凹部の左右内壁間に嵌合凸部の貫通孔から突出している軸体の左右端部が嵌まった状態となり、貫通孔内での軸体のスライド動作に従って踏み板を幅方向スライドできることを特徴とする階段の踏み板の固定構造。
【請求項２】
軸体は、貫通孔内にて接着剤で固定されるようになっており、接着剤硬化前に貫通孔内でスライド動作でき、このスライド動作に従って踏み板が幅方向スライドすることを特徴とする請求項１記載の階段の踏み板の固定構造。
【発明の詳細な説明】
【技術分野】
【０００１】
本願発明は、階段における踏み板を桁に嵌合して取り付ける階段の踏み板の固定構造に関するものである。
【背景技術】
【０００２】
従来、たとえば図６に例示したように、オープン階段と呼ばれる、片側または両側に壁４を設けずに施工して、開放的な空間を演出する階段が知られている（たとえば下記特許文献１も参照）。
【０００３】
図６のオープン階段は、片側にのみ壁４を設けており、壁４に固定される側板３とこれに対向して反対側に設けられる側桁２との間に踏み板１を渡した形態となっている。また、踏み板１間に蹴込板を設けないことで、より開放的な空間演出を図っている。
【０００４】
このオープン階段の施工では、たとえば図７に例示したように、踏み板１に矩形状の嵌合凹部１１を設け、側桁２には嵌合凹部１１と対応する矩形状の嵌合凸部２２を持つ踏み板挿入部２１を設けておき、踏み板１を側桁２の踏み板挿入部２１に挿入させるとともに嵌合凹部１１と嵌合凸部２２を嵌合させることで、踏み板１を側桁２に取り付けることがしばしば行われている。このとき、嵌合凹部１１と嵌合凸部２２が嵌合しやすいように、幅方向のクリアランスを設けるべく、嵌合凹部１１の幅寸法Ｗ１を嵌合凸部２２の幅寸法Ｗ２より大きくしている。一方、踏み板１と側板３との施工も、踏み板１を側板３の所定位置に嵌合固定することで行われる。
【０００５】
なお、階段には、踏み板１の略中央に側桁２と同様な構成を有する桁が設けられるものもある。
【特許文献１】特開平６−３２２９１７号公報
【発明の開示】
【発明が解決しようとする課題】
【０００６】
しかしながら、このように踏み板１と側桁２などの桁の嵌合および踏み板１と側板３の嵌合を必要とする構造では、たとえば桁と側板３を先に施工し、つまり桁を上階と下階の間に渡して固定し且つ側板３を壁４に固定しておき、この桁と側板３に対して踏み板１を後から取り付けることが困難であった。
【０００７】
このため、従来、踏み板１、桁、側板３を先に組み立ててこれを設置位置に施工しているが、施工現場によっては設置スペース等の関係からこの施工手順では好ましくない場合もあり、より施工自由度の高い踏み板１の取付構造の実現が望まれている。
【０００８】
本願発明は、以上のとおりの事情に鑑み、桁と側板３を先に施工していても、踏み板１を後から容易に、且ついずれも傷つけることなく施工できるようにした、より施工自由度の高い、階段の踏み板の固定構造を提供することを課題としている。
【課題を解決するための手段】
【０００９】
本願発明の踏み板取付構造は、上記の課題を解決するものとして、第１には、踏み板に嵌合凹部が設けられ、桁に嵌合凸部を持つ踏み板挿入部が設けられており、踏み板を桁の踏み板挿入部に挿入させるとともに嵌合凹部と嵌合凸部を嵌合させて、踏み板を桁に取り付ける階段の踏み板の固定構造であって、桁の嵌合凸部は、幅方向に貫通した貫通孔と、貫通孔に挿入された、左右端部が貫通孔から突出する長さを持つ軸体とを有しており、踏み板の嵌合凹部は、軸体の長さと同じ幅寸法を有しており、桁に設けられた踏み板挿入部への踏み板の挿入時に、嵌合凹部の左右内壁間に嵌合凸部の貫通孔から突出している軸体の左右端部が嵌まった状態となり、貫通孔内での軸体のスライド動作に従って踏み板を幅方向スライドできることを特徴とする。
【００１０】
第２には、軸体は、貫通孔内にて接着剤で固定されるようになっており、接着剤硬化前に貫通孔内でスライド動作でき、このスライド動作に従って踏み板が幅方向スライドすることを特徴とする。
【発明の効果】
【００１１】
上記第１の発明によれば、上記のとおりに踏み板の嵌合凹部が嵌合される桁の嵌合凸部に設けられた貫通孔内の軸体が、踏み板のための幅方向スライド機構として機能することになり、これにより、踏み板を桁に嵌合した状態で幅方向スライドさせることができるため、桁と側板が先に固定されていても、踏み板を桁に嵌合させ、接着固定までの間に幅方向つまり左右水平方向にスライドさせて側板に嵌合させることができ、よって、踏み板、桁、側板のいずれも傷つけることなく、踏み板を容易に後施工できる。また、軸体が嵌合凹部の左右内壁にしっかりと嵌まった状態となるため、踏み板はしっかりと固定されて水平方向の動きが低減し、踏み鳴りを低減することができる。
【００１２】
上記第２の発明によれば、上記第１の発明と同様な効果が得られるとともに、軸体が貫通孔内で接着剤によりしっかりと固定されることで、踏み板がさらにしっかりと固定されて踏み鳴りをより効果的に低減できる。
【発明を実施するための最良の形態】
【００１３】
図１〜図５は、本願発明の一実施形態を示したものである。
【００１４】
本実施形態において、まず、踏み板１は、壁４に固定される側板３（図５および前記図６を参照）とこれに対向して反対側に設けられる側桁２との間に渡して取り付けられる形態となっており、側桁２に取り付けられる部位には、矩形状に形成された嵌合凹部１１を備えている。
【００１５】
他方、側桁２は、上階と下階の間に渡して取り付けられて、各段の踏み板１を支持する形態となっており、踏み板１が取り付けられる部位には、踏み板１を水平方向に挿入可能な厚さの開口形状に形成された踏み板挿入部２１を備えている。この踏み板挿入部２１内には、踏み板１の嵌合凹部１１に対応する矩形状に形成された、踏み板挿入部２１の奥内壁から前方に向かって突出する嵌合凸部２２が設けられている。
【００１６】
さらに、この嵌合凸部２２には、幅方向に貫通した平行１対の貫通孔２３が設けられ、且つ、各貫通孔２３に挿入された２本の軸体２４が設けられている。軸体２４は、その左右端部が貫通孔２３から突出する長さを持つ、剛性の丸棒形状となっている。
【００１７】
なお、本願発明における桁は、側桁２に限定されず、踏み板１の略中央に配設されるものも含む。踏み板１の略中央に配設される桁にも側桁２と同様な構造を採用することができる。
【００１８】
そして、上記踏み板１の嵌合凹部１１は、この軸体２４の長さと同じ幅寸法Ｗ１に形成されている。
【００１９】
以上のとおりの踏み板１を側桁２の踏み板挿入部２１に挿入させると（図２参照）、嵌合凹部１１の左右内壁間に嵌合凸部２２の貫通孔２３から左右に突出している軸体２４の端部がちょうど嵌まった状態となる（図３，図４参照）。この状態で、軸体２４が貫通孔２３内にて左右方向にスライドすることで、そのスライド動作に従って踏み板１が左右方向にスライドする、つまり幅方向スライドすることになる。スライド量は、軸体２４の貫通孔２３からの突出量で規制される。このような踏み板１のスライドは、接着固定までの間可能となる。
【００２０】
これにより、図５（ａ）（ｂ）に例示したように、先に側桁２を上階と下階の間に渡して固定し、且つ側板３を壁４に固定していても、踏み板１を側桁２に取り付けた後にそのまま左右水平方向にスライド移動させて、その左右位置を微調整するだけで、側板３の嵌合凹部３１にも嵌合取付できるようになる。
【００２１】
したがって、踏み板１、側桁２、側板３のいずれも傷つけることなく、踏み板１を後から容易に施工できるようになり、従来よりも自由度の高い施工手順が実現される。
【００２２】
またもちろん、軸体２４が踏み板１の嵌合凹部１１の左右内壁にしっかりと嵌まった状態となるため、踏み板１はしっかりと固定されて水平方向の動きが低減し、踏み鳴りも低減される。
【００２３】
なお、軸体２４は貫通孔２３内に接着剤により固定されることが好ましい。
【００２４】
この場合、踏み板１を側桁２の踏み板挿入部２１へ挿入させる前に、事前に貫通孔２３または軸体２４に接着剤を塗布しておき、接着剤が硬化する前に上記スライド動作を行うことになる。そして嵌合取付後は、接着剤の硬化により軸体２４がしっかりと固定されて、踏み板１もさらにしっかりと固定される。これによれば、上記踏み鳴り低減効果を一層向上できる。
【図面の簡単な説明】
【００２５】
【図１】本願発明の一実施形態を示した踏み板取付前の（ａ）側面図、（ｂ）Ａ−Ａ線断面図。
【図２】図１の実施形態における踏み板取付前の正面図。
【図３】図１の実施形態における踏み板取付後の縦断面図。
【図４】図１の実施形態における踏み板取付後の横断面図。
【図５】図１の実施形態における踏み板のスライド動作について説明するための横断面図（ａ）（ｂ）。
【図６】従来のオープン階段を例示した斜視図。
【図７】従来の踏み板取付構造を例示した（ａ）側面図、（ｂ）Ａ−Ａ線断面図。
【符号の説明】
【００２６】
１  踏み板
１１  嵌合凹部
２  側桁
２１  踏み板挿入部
２２  嵌合凸部
２３  貫通孔
２４  軸体
３  側板
３１  嵌合凹部
４  壁
【図１】
0004661581.tif 000002
【図２】
0004661581.tif 000003
【図３】
0004661581.tif 000004
【図４】
0004661581.tif 000005
【図５】
0004661581.tif 000006
【図６】
0004661581.tif 000007
【図７】
0004661581.tif 000008